(57)【要約】【課題】  従来技術はユーザ認証と連動して電力供給部分を決めるため、ユーザ認証機能を有さない場合やユーザ認証機能を使用しない場合には効果が得られないという課題があった。【解決手段】  画像形成装置（１００）における画像読み取り部（スキャナエンジン１１０）を制御するためのスキャナエンジンドライバ（１２０）と、印刷部（プリンタエンジン１３０）を制御するためのプリンタエンジンドライバ（１４０）を有し、電源ONによる起動時や、スリープ状態からの復帰時に表示するデフォルト表示画面設定手段と、デフォルト表示画面設定手段の内容に応じて、スキャナエンジンドライバ（１２０）と、プリンタエンジンドライバ（１４０）に対する電力供給を変更するドライバ電力供給制御手段を有する。【選択図】        図１
2012191369.tif 000002
【特許請求の範囲】
【請求項１】
画像形成装置（１００）における画像読み取り部（スキャナエンジン１１０）を制御するためのスキャナエンジンドライバ（１２０）と、印刷部（プリンタエンジン１３０）を制御するためのプリンタエンジンドライバ（１４０）を有し、
電源ONによる起動時や、スリープ状態からの復帰時に表示するデフォルト表示画面設定手段と、
デフォルト表示画面設定手段の内容に応じて、スキャナエンジンドライバ（１２０）と、プリンタエンジンドライバ（１４０）に対する電力供給を変更するドライバ電力供給制御手段を有することを特徴とする画像形成装置（１００）。
【発明の詳細な説明】
【技術分野】
【０００１】
本発明は、画像形成装置における省電力化実現のための制御手段に関する。
【背景技術】
【０００２】
近年、エコロジーに関する情報が頻繁に取り上げられ、産業用・家庭用問わずあらゆる機器の省電力化要求が高まっている。
【０００３】
それに応えるため、画像形成装置においてもスタンバイ時やスリープ時の消費電力を抑える発明が多数なされている。その中に、ユーザ環境や使用状態に応じて細かく電力制御を行い、電力消費を低下させる方法がある（例えば特許文献１参照）。
【先行技術文献】
【特許文献】
【０００４】
【特許文献１】特開２００８−２０９８２５号公報
【発明の概要】
【発明が解決しようとする課題】
【０００５】
しかしながら、特許文献１に記載されている技術は、ユーザ認証と連動して電力供給部分を決めるため、ユーザ認証機能を有さない場合やユーザ認証機能を使用しない場合には効果が得られないという課題があった。
【課題を解決するための手段】
【０００６】
上述した課題を解決するために、本発明の画像形成装置は、
画像形成装置（１００）における画像読み取り部（スキャナエンジン１１０）を制御するためのスキャナエンジンドライバ（１２０）と、印刷部（プリンタエンジン１３０）を制御するためのプリンタエンジンドライバ（１４０）を有し、
電源ONによる起動時や、スリープ状態からの復帰時に表示するデフォルト表示画面設定手段と、デフォルト表示画面設定手段の内容に応じて、スキャナエンジンドライバ（１２０）と、プリンタエンジンドライバ（１４０）に対する電力供給を変更するドライバ電力供給制御手段を有することを特徴とする。
【発明の効果】
【０００７】
本発明により、ユーザに煩わしい電力制御専用の設定を行わせる事なく、また、ユーザ認証手段の使用有無に関わらず、ユーザに対してその使用環境に最適な電力制御を実現した画像形成装置を提供できる。
【図面の簡単な説明】
【０００８】
【図１】構成を示すブロック図である。
【図２】操作部の説明図である。
【図３】デフォルト表示の設定画面である。
【図４】電力制御状態を示す表である。
【図５】電力制御処理のフローチャートである。
【発明を実施するための形態】
【０００９】
以下、本発明を実施するための最良の形態について図面を用いて説明する。
【００１０】
［実施例１］
図１は本発明第１実施例の構成を示すブロック図である。各ブロックはモジュールを示しており、ブロック間の線はデータもしくは指示を示している。
【００１１】
図１において、１００は画像形成装置である。１５０はＣＰＵであり、画像形成装置１００内にあるモジュールのプログラム実行を行う。１６０は操作部であり、ユーザへの情報通知を行ない、ユーザの指示を、ＣＰＵ１５０を介して画像形成装置１００内の各ブロックに伝える動作を行なう。１１０は原稿の読み取り処理を行うスキャナエンジンである。１２０はスキャナエンジン１１０を制御するためのハードウェアであるスキャナエンジンドライバである。１３０は印刷処理を行うプリンタエンジンである。１４０はプリンタエンジン１３０を制御するためのハードウェアであるプリンタエンジンドライバである。１７０は電源部である。ＣＰＵ１５０から指示を受け、スキャナエンジンドライバ１２０およびプリンタエンジンドライバ１４０に対して電力供給を行う。
【００１２】
図２は操作部１６０の説明図である。２０１はコピージョブのファンクションキーである。コピーキー２０１を押下することでコピー画面が表示される。２０２はファックスジョブのファンクションキーである。ファックスキー２０２を押下することでファックス画面が表示される。２０３はスキャンジョブのファンクションキーである。スキャンキー２０３を押下することでスキャン画面が表示される。２０４はメディアプリントジョブのファンクションキーである。メディアプリントキー２０４を押下することで、メディアプリント画面が表示される。２０５は状況確認キーである。状況確認キー２０５を押下することで、画像形成装置の状況画面が表示される。２１０はタッチパネル型ＬＣＤである。ＬＣＤ２１０で操作画面表示を行う。また、タッチパネル入力を受け付ける。２１１は節電キーである。画像形成装置１００をスリープ状態に入れたり、逆にスリープ状態から復帰させる指示を行うことができる。
【００１３】
図３は電源ONによる起動時や、スリープ状態からの復帰時に表示する画面を指示する設定画面である。選択肢はコピー、ファックス、スキャン、メディアプリントの各ファンクション画面と状況確認画面である。この中から１つのみ選択できる。
【００１４】
図４は電力制御状態を示す表である。電源ONによる起動時やスリープ状態からの復帰時に表示する画面と、その際のスキャナドライバおよびプリンタドライバの電力状態の関係を示している。例えば、コピー画面で起動もしくは復帰した場合、コピージョブはスキャナもプリンタも使用するため、スキャナドライバおよびプリンタドライバはどちらも電力ON状態にすることを示している。
【００１５】
図５は図４で説明した電力制御をおこなう電力制御処理のフローチャートである。画像形成装置１００において、電源ONによる起動やスリープ状態からの復帰時に、このフローチャートが実行される。
【００１６】
まず、S1001で図３において説明したデフォルト表示する画面の情報を取得する。次にS1002へ進む。S1002ではＬＣＤ２１０の表示をつけ、「コピー」／「ファックス」／「スキャン」／「メディアプリント」／「状況確認」いずれかのデフォルト画面表示を行う。
【００１７】
次にS1003以降で電力制御処理を行う。まず、S1003でデフォルト画面はコピー画面かどうか判断する。コピー画面の場合はS1007へ進み、コピー画面以外の場合はS1004へ進む。S1004ではデフォルト画面はファックスもしくはスキャン画面かどうか判断する。ファックスもしくはスキャン画面の場合はS1008へ進み、それ以外の場合はS1005へ進む。S1005ではデフォルト画面はメディアプリント画面かどうか判断する。メディアプリント画面の場合はS1009へ進み、メディアプリント画面以外の場合はS1010へ進む。
【００１８】
S1007ではコピージョブ実行に適した電力制御を行う。具体的には、スキャナエンジンドライバ１１０およびプリンタエンジンドライバ１３０両方に電力供給を行う。電力制御の完了後フローチャートを抜ける。
【００１９】
S1008ではファックスジョブおよびスキャンジョブ実行に適した電力制御を行う。具体的には、スキャナエンジンドライバ１１０に電力供給を行う。プリンタエンジンドライバ１３０には電力供給を行わない。電力制御の完了後フローチャートを抜ける。
【００２０】
S1009ではメディアプリントジョブ実行に適した電力制御を行う。具体的には、スキャナエンジンドライバ１１０に電力供給を行わず、プリンタエンジンドライバ１３０には電力供給を行う。電力制御の完了後フローチャートを抜ける。
【００２１】
S1010ではすぐにジョブ実行を行う必要がない状態に適した電力制御を行う。具体的には、スキャナエンジンドライバ１１０およびプリンタエンジンドライバ１３０両方に電力供給を行わない。電力制御の完了後フローチャートを抜ける。
【００２２】
以上説明した内容により、ユーザに煩わしい電力制御専用の設定を行わせる事なく、また、ユーザ認証手段の使用有無に関わらず、ユーザに対してその使用環境に最適な電力制御機構を備えた画像形成装置を提供できる。具体的には、電源ONによる起動やスリープ状態からの復帰時に表示される画面に応じた電力制御を行うことで、ユーザがよく使う機能実行は待たせる事なく動作させる事ができ、さらに、よく使う機能において不要なハードウェアへの電力供給を行わないことで省電力を実現できる。
【符号の説明】
【００２３】
１００  画像形成装置
１５０  ＣＰＵ
【図１】
2012191369.tif 000003
【図２】
2012191369.tif 000004
【図３】
2012191369.tif 000005
【図４】
2012191369.tif 000006
【図５】
2012191369.tif 000007